(57)【要約】  第１電極膜（９１）は、半導体基板（５０）のソース領域（４）に電気的に接続されており、半導体基板（５０）の主面（Ｓ２）上に設けられている。第２電極膜（９２）は、ゲート電極（６）に電気的に接続されており、半導体基板（５０）の主面（Ｓ２）上に設けられている。第３電極膜（９３）は、第１電極膜（９１）から離れて半導体基板（５０）の主面（Ｓ２）上に設けられている。保護絶縁膜（２０）は、主面（Ｓ２）上に、第１電極膜（９１）および第２電極膜（９２）の各々の一部のみが覆われるようにかつ第３電極膜（９３）の少なくとも一部が覆われるように設けられており、熱硬化性樹脂からなる。主面（Ｓ２）は、外周領域（ＲＡ）と、外周領域（ＲＡ）に囲まれた内側領域（ＲＢ）とを有し、保護絶縁膜（２０）は、外周領域（ＲＡ）を覆う外周部分（２９）と、内側領域（ＲＢ）を横断し第３電極膜（９３）の少なくとも一部を覆う第１内側部分（２１）とを有する。
2019208755.tif 000002
【特許請求の範囲】
【請求項１】
シリコンの線膨張率よりも高い線膨張率を有する半導体からなり、第１導電型を有するソース領域と、前記第１導電型と異なる第２導電型を有するベース領域と、前記ベース領域によって前記ソース領域から隔てられ前記第１導電型を有するドリフト層とを含み、前記ソース領域からなる部分を含む主面を有する半導体基板と、
前記半導体基板の前記ベース領域を覆うゲート絶縁膜と、
前記ゲート絶縁膜を介して前記半導体基板の前記ベース領域に面するゲート電極と、
前記半導体基板の前記ソース領域に電気的に接続され、前記半導体基板の前記主面上に設けられた第１電極膜と、
前記ゲート電極に電気的に接続され、前記第１電極膜から離れて前記半導体基板の前記主面上に設けられた第２電極膜と、
前記第１電極膜から離れて前記半導体基板の前記主面上に設けられた第３電極膜と、
前記第１電極膜、前記第２電極膜および前記第３電極膜が設けられた前記半導体基板の前記主面上に、前記第１電極膜および前記第２電極膜の各々の一部のみが覆われるようにかつ前記第３電極膜の少なくとも一部が覆われるように設けられ、熱硬化性樹脂からなる保護絶縁膜と、
を備え、
前記半導体基板の前記主面は、外周領域と、前記外周領域に囲まれた内側領域とを有し、前記保護絶縁膜は、前記外周領域を覆う外周部分と、前記第３電極膜の少なくとも一部を覆い前記内側領域を横断する第１内側部分とを有する、半導体装置。
【請求項２】
前記保護絶縁膜は、前記外周部分と前記第１内側部分との間を横断する第２内側部分を有する、請求項１に記載の半導体装置。
【請求項３】
前記保護絶縁膜は、前記半導体基板の前記主面の半分未満のみを覆う開口部を有する、請求項１または２に記載の半導体装置。
【請求項４】
前記第３電極膜は前記第２電極膜から離れている、請求項１から３のいずれか１項に記載の半導体装置。
【請求項５】
前記第３電極膜に接続され、前記保護絶縁膜の前記第１内側部分に覆われた、少なくとも１つの電気的素子をさらに備える、請求項１から４のいずれか１項に記載の半導体装置。
【請求項６】
前記少なくとも１つの電気的素子は、温度センサ素子を含む、請求項５に記載の半導体装置。
【請求項７】
前記少なくとも１つの電気的素子は、ダイオード素子、バイポーラトランジスタ素子、抵抗素子および容量素子の少なくともいずれかの素子を含む、請求項５または６に記載の半導体装置。
【請求項８】
前記ゲート電極は、プレーナ構造およびトレンチ構造のいずれかの構造を有する、請求項１から７のいずれか１項に記載の半導体装置。
【請求項９】
前記保護絶縁膜は、ポリイミド樹脂、シリコーン樹脂、エポキシ樹脂およびポリウレタン樹脂の少なくともいずれかからなる、請求項１から８のいずれか１項に記載の半導体装置。
【請求項１０】
請求項１から９のいずれか１項に記載の半導体装置を有し、入力される電力を変換して出力する主変換回路と、
前記半導体装置を駆動する駆動信号を前記半導体装置に出力する駆動回路と、
前記駆動回路を制御する制御信号を前記駆動回路に出力する制御回路と、
を備える、電力変換装置。
【発明の詳細な説明】
【技術分野】
【０００１】
本発明は、半導体装置および電力変換装置に関し、特に、熱硬化性樹脂からなる保護絶縁膜を有する半導体装置および電力変換装置に関するものである。
【背景技術】
【０００２】
特許文献１によれば、インバータ回路を有する電力変換装置が開示されている。電力変換装置は、スイッチング素子としての半導体装置を有している。電力変換装置が駆動状態にある場合、半導体装置はスイッチング動作を行なう。このとき半導体装置から、多くの熱が発生する。電力変換装置が待機状態と駆動状態とを繰り返すと、半導体装置から発生される熱の量が大きく変化する。これにより、電力変換装置は熱サイクルにさらされる。よって、電力変換装置の信頼性を長期間にわたって確保するためには、電力変換装置は、熱サイクルに強いモジュール構造を有する必要がある。【０００３】
特許文献２によれば、炭化珪素（ＳｉＣ）を用いたＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）、すなわちＳｉＣ−ＭＯＳＦＥＴ、が開示されている。ワイドバンドギャップ半導体であるＳｉＣを用いることによって、ＭＯＳＦＥＴのオン抵抗を大幅に小さくすることができる。よって、近年、電力用変換装置用に、ＳｉＣ−ＭＯＳＦＥＴが適用され始めている。このＭＯＳＦＥＴには、保護絶縁膜として、開口部を有するポリイミド膜が設けられている。【０００４】
特許文献３によれば、温度センサ素子としてのダイオードと、それに接続されたアノード電極およびカソード電極とが設けられたＭＯＳＦＥＴが開示されている。温度センサ素子が設けられることによって、上述した熱に起因してのＭＯＳＦＥＴの温度上昇を検知することができる。検知された情報を参照することによって、ＭＯＳＦＥＴの動作をより安定化させることができる。
【先行技術文献】
【特許文献】
【０００５】
【特許文献１】特開２００２−０９５２６８号公報
【特許文献２】特願２０１７−１６８６０２号公報
【特許文献３】特開２０１２−１２９５０３号公報
【発明の概要】
【発明が解決しようとする課題】
【０００６】
上記特許文献１に記載の技術は、半導体装置とそれに取り付けられる部材との間での接続の信頼性を高めることが意図されたものであり、半導体装置自体の構成の改善が意図されたものではない。よって、半導体装置自体が熱サイクルに弱ければ、高い信頼性は得られない。【０００７】
上記特許文献２に記載の技術によれば、半導体装置は、保護絶縁膜として、開口部を有するポリイミド膜を有している。熱サイクルの影響によって、保護絶縁膜が劣化することがあり、例えば、クラック、または、膜の粗密等によるしわが発生することがある。特に、半導体領域の線膨張率（線膨張係数）が大きいと、半導体領域の線膨張率と保護絶縁膜の線膨張率との差異が広がる結果として、保護絶縁膜が劣化しやすくなる。例えば、ＳｉＣの線膨張率６．６［×１０−６／Ｋ］は、シリコン（Ｓｉ）の線膨張率２．４［×１０−６／Ｋ］に比して大幅に大きい。さらに、ＳｉＣは、Ｓｉに比して高温動作に適した半導体材料であることから、ＳｉＣを用いた半導体装置は高温下で用いられることが多い。このため、線膨張率の差異に起因して保護絶縁膜に加わるストレスは、Ｓｉの場合に比して、ＳｉＣの場合に非常に大きくなり得る。【０００８】
上記特許文献３に記載の技術によれば、半導体装置に、温度センサ素子としてのダイオードと、それに接続されたアノード電極およびカソード電極とを有する構造が設けられる。当該文献は、この構造を保護絶縁膜によって保護することについて開示していない。本発明者の検討によれば、信頼性確保のために、この構造は保護絶縁膜によって保護されることが望ましい。この場合、保護絶縁膜の開口部の形状は、この構造の配置の影響を受ける。開口部の形状によっては、保護絶縁膜において局所的な劣化が進行しやすくなる。【０００９】
本発明は以上のような課題を解決するためになされたものであり、その一の目的は、保護絶縁膜の劣化を抑制することができる半導体装置を提供することである。
【課題を解決するための手段】
【００１０】
本発明の半導体装置は、半導体基板と、ゲート絶縁膜と、ゲート電極と、第１電極膜と、第２電極膜と、第３電極膜と、保護絶縁膜とを有する。半導体基板は、Ｓｉの線膨張率よりも高い線膨張率を有する半導体からなり、第１導電型を有するソース領域と、第１導電型と異なる第２導電型を有するベース領域と、ベース領域によってソース領域から隔てられ第１導電型を有するドリフト層とを含み、ソース領域からなる部分を含む主面を有する。ゲート絶縁膜は半導体基板のベース領域を覆っている。ゲート電極はゲート絶縁膜を介して半導体基板のベース領域に面している。第１電極膜は、半導体基板のソース領域に電気的に接続されており、半導体基板の主面上に設けられている。第２電極膜は、ゲート電極に電気的に接続されており、第１電極膜から離れて半導体基板の主面上に設けられている。第３電極膜は、第１電極膜から離れて半導体基板の主面上に設けられている。保護絶縁膜は、第１電極膜、第２電極膜および第３電極膜が設けられた半導体基板の主面上に、第１電極膜および第２電極膜の各々の一部のみが覆われるようにかつ第３電極膜の少なくとも一部が覆われるように設けられており、熱硬化性樹脂からなる。半導体基板の主面は、外周領域と、外周領域に囲まれた内側領域とを有する。保護絶縁膜は、外周領域を覆う外周部分と、第３電極膜の少なくとも一部を覆い内側領域を横断する第１内側部分とを有する。
【発明の効果】
【００１１】
本発明によれば、第３電極膜を含む構成を保護するために、保護絶縁膜は、第３電極膜の少なくとも一部を覆う第１内側部分を有する。第１内側部分は、保護絶縁膜の外周部分に囲まれた内側領域を横断しているので、第１内側部分の一方端および他方端の各々は保護絶縁膜の外周部分につながれている。これにより、第１内側部分の一方端および他方端において保護絶縁膜の劣化が局所的に進行することが抑制される。よって、保護絶縁膜の劣化を抑制することができる。【００１２】
この発明の目的、特徴、局面、および利点は、以下の詳細な説明と添付図面とによって、より明白となる。
【図面の簡単な説明】
【００１３】
【図１】本発明の実施の形態１における半導体装置の構成を概略的に示す平面図である。
【図２】図１の半導体装置の構成を、保護絶縁膜の図示を省略しつつ概略的に示す平面図である。
【図３】図１の半導体装置が有する保護絶縁膜の構成を説明する平面図である。
【図４】図１の線ＩＶ−ＩＶに沿う概略的な部分断面図である。
【図５】図１の線Ｖ−Ｖに沿う概略的な部分断面図である。
【図６】図１の線ＶＩ−ＶＩに沿う概略的な部分断面図である。
【図７】図１の線ＶＩＩ−ＶＩＩに沿う概略的な部分断面図である。
【図８】変形例の半導体装置の構成を概略的に示す部分断面図である。
【図９】比較例の半導体装置の構成を示す平面図である。
【図１０】図９の半導体装置が有する保護絶縁膜の構成を説明する平面図である。
【図１１】本発明の実施の形態２における半導体装置の構成を概略的に示す平面図である。
【図１２】図１１の半導体装置が有する保護絶縁膜の構成を説明する平面図である。
【図１３】本発明の実施の形態３における半導体装置の構成を概略的に示す平面図である。
【図１４】図１３の線ＸＩＶ−ＸＩＶに沿う概略的な部分断面図である。
【図１５】図１４の一部拡大図であり、保護絶縁膜の断面形状の第１の例を示す部分断面図である。
【図１６】図１４の一部拡大図であり、保護絶縁膜の断面形状の第２の例を示す部分断面図である。
【図１７】図１４の一部拡大図であり、保護絶縁膜の断面形状の第３の例を示す部分断面図である。
【図１８】保護絶縁膜の第１内側部分の断面形状の例を示す部分断面図である。
【図１９】図１４の変形例の半導体装置の構成を概略的に示す部分断面図である。
【図２０】本発明の実施の形態４における半導体装置の構成を概略的に示す部分断面図である。
【図２１】本発明の実施の形態５による電力変換装置が適用された電力変換システムの構成を概略的に示すブロック図である。
【発明を実施するための形態】
【００１４】
以下、図面に基づいて本発明の実施の形態について説明する。なお、以下の図面において同一または相当する部分には同一の参照番号を付しその説明は繰返さない。
【００１５】
＜実施の形態１＞
図１は、本実施の形態１におけるＭＯＳＦＥＴ１０１（半導体装置）の構成を概略的に示す平面図である。図２は、図１のＭＯＳＦＥＴ１０１の構成を、ポリイミド膜２０（保護絶縁膜）の図示を省略しつつ概略的に示す平面図である。図３は、ポリイミド膜２０（図１）の構成を説明する平面図である。なお図３においては、図を見やすくするために、ポリイミド膜２０にドット模様が付されている。
【００１６】
図４〜図７のそれぞれは、図１の線ＩＶ−ＩＶ、線Ｖ−Ｖ、線ＶＩ−ＶＩ、および線ＶＩＩ−ＶＩＩに沿う概略的な部分断面図である。詳しくは後述するが、線ＩＶ−ＩＶ（図１）に沿う図４は、ソース電極パッド９１（第１電極膜）の外縁がポリイミド膜２０に覆われている箇所に対応している。線Ｖ−Ｖ（図１）に沿う図５は、ゲート電極パッド９２（第２電極膜）がポリイミド膜２０に覆われている箇所に対応している。線ＶＩ−ＶＩ（図１）に沿う図６および線ＶＩＩ−ＶＩＩ（図１）に沿う図７は、電極膜９３（第３電極膜）に接続された温度センサ素子６０（図６）が設けられた箇所に対応している。
【００１７】
図４に示されているように、ＭＯＳＦＥＴ１０１は、ＳｉＣ基板５０（半導体基板）と、ゲート絶縁膜５と、ゲート電極６と、層間絶縁膜７と、ソースコンタクト電極８と、ソース電極パッド９１と、ポリイミド膜２０と、裏面電極１０とを有している。またＭＯＳＦＥＴ１０１はバリア膜８１を有していてよい。
【００１８】
ＳｉＣ基板５０はＳｉＣからなり、前述したように、ＳｉＣの線膨張率はＳｉの線膨張率よりも高い。ＳｉＣ基板５０は、ｎ型（第１導電型）を有するソース領域４と、ｐ型（第１導電型と異なる第２導電型）を有するベース領域２と、ｎ型を有するドリフト層１と、ｐ型を有するコンタクト領域３とを含む。ドリフト層１は、ベース領域２によってソース領域４から隔てられている。ＳｉＣ基板５０は、下面Ｓ１、および、下面Ｓ１と反対の上面Ｓ２（主面）を有している。上面Ｓ２は、ソース領域４からなる部分と、コンタクト領域３からなる部分とを含む。
【００１９】
ゲート絶縁膜５はＳｉＣ基板５０のベース領域２を覆っている。ゲート電極６は、ゲート絶縁膜５を介してＳｉＣ基板５０のベース領域２に面している。ゲート電極６は、導電性を有する材料からなり、例えば、不純物がドープされたポリシリコンからなる。ゲート電極６は、本実施の形態においては、プレーナ構造を有する。言い換えれば、ゲート電極６は、上面Ｓ２に沿った平面形状を有している。
【００２０】
ソースコンタクト電極８は、ソース領域４およびコンタクト領域３に接している。ソースコンタクト電極８のうち、ソース領域４およびコンタクト領域３に接する部分は、シリサイド化されていることが好ましい。ソースコンタクト電極８は、例えば、ＳｉＣ基板５０の上面Ｓ２に面するシリサイド化された部分を有するニッケル（Ｎｉ）電極である。
【００２１】
ソース電極パッド９１は、ＭＯＳＦＥＴ１０１の外部からソース電位の供給を受ける端子電極である。ソース電極パッド９１は、ソースコンタクト電極８が設けられた上面Ｓ２上に配置されている。ソース電極パッド９１は、ソースコンタクト電極８に接することによって、ＳｉＣ基板５０のソース領域４およびコンタクト領域３に電気的に接続されている。この電気的接続は、バリア膜８１を介してのものであってよい。ソース電極パッド９１とゲート電極６との間は、層間絶縁膜７によって絶縁されている。層間絶縁膜７は、典型的には、無機材料からなる。ソース電極パッド９１は、金属からなり、例えばアルミニウム（Ａｌ）またはその合金からなる。
【００２２】
バリア膜８１は、水素原子または水素イオンを吸蔵する能力が高い金属からなり、例えばＴｉ（チタン）からなる。ＭＯＳＦＥＴ１０１の製造工程は水素原子または水素イオンの発生を伴うことがあり、バリア膜８１は、水素原子または水素イオンが層間絶縁膜７に侵入することを抑制する。またバリア膜８１は、外部からの水素原子または水素イオンの侵入も抑制し得る。
【００２３】
裏面電極１０は、ＳｉＣ基板５０の下面Ｓ１上に設けられている。裏面電極１０は、ＭＯＳＦＥＴ１０１のドレイン電極として機能する。
【００２４】
図５に示されているように、ＭＯＳＦＥＴ１０１は、ゲート電極パッド９２と、酸化珪素膜１１（絶縁膜）とを有している、またＭＯＳＦＥＴ１０１は、金属からなるバリア膜８２を有していてよい。バリア膜８２の材料はバリア膜８１の材料と同様であり、それによりバリア膜８２はバリア膜８１と同様の機能を有する。バリア膜８２はバリア膜８１から分離されている。
【００２５】
ゲート電極パッド９２は、ＭＯＳＦＥＴ１０１の外部からゲート電位の供給を受ける端子電極である。ゲート電極パッド９２は、平面視（図２）において、ソース電極パッド９１から離れて配置されている。好ましくは、ゲート電極パッド９２はソース電極パッド９１から１μｍ程度以上離れている。ゲート電極パッド９２は、ゲート電極６が設けられた上面Ｓ２上に配置されている。ゲート電極パッド９２はゲート電極６に電気的に接続されている。この電気的接続は、バリア膜８２を介してのものであってよい。ゲート電極パッド９２近傍において、ゲート電極６と上面Ｓ２との間は、酸化珪素膜１１によって絶縁されている。ゲート電極パッド９２は、金属からなり、例えばＡｌまたはその合金からなる。ゲート電極パッド９２の材料は、ソース電極パッド９１の材料と同じであることが好ましい。
【００２６】
図６および図７に示されているように、ＭＯＳＦＥＴ１０１は、電極膜９３と、電極膜９３に接続された温度センサ素子６０（電気的素子）とを有している。ＭＯＳＦＥＴ１０１は、酸化膜４１（絶縁膜）と、層間絶縁膜４２とを有していてよい。
【００２７】
電極膜９３は、平面視（図２）において、ソース電極パッド９１から離れて配置されている。好ましくは、電極膜９３はソース電極パッド９１から１μｍ程度以上離れている。また本実施の形態においては、電極膜９３は、平面視（図２）において、ゲート電極パッド９２から離れて配置されている。好ましくは、電極膜９３はゲート電極パッド９２から１μｍ程度以上離れている。電極膜９３は、金属からなり、例えばＡｌまたはその合金からなる。電極膜９３の材料は、ソース電極パッド９１およびゲート電極パッド９２の少なくともいずれかの材料と同じであることが好ましく、両方の材料と同じであることがより好ましい。
【００２８】
電極膜９３は、酸化珪素膜１１が設けられた上面Ｓ２上に配置されている。よって本実施の形態においては、電極膜９３はＳｉＣ基板５０から絶縁されている。電極膜９３は、図示されているように、上面Ｓ２上に、酸化珪素膜１１だけでなく層間絶縁膜４２および酸化膜４１を介して配置されていてよい。
【００２９】
電極膜９３は、アノード電極膜９３ａおよびカソード電極膜９３ｃを有している。温度センサ素子６０は、ｐｎダイオードであり、ｐ型のアノード領域６１と、ｎ型のカソード領域６２とを有している。アノード電極膜９３ａおよびカソード電極膜９３ｃのそれぞれは、アノード領域６１およびカソード領域６２に接続されている。アノード電極膜９３ａおよびカソード電極膜９３ｃの各々は、パッド部（図２における、略長方形部分）と、バッド部から延びる配線部（図２における、パッド部の幅よりも小さい幅で延びている部分）とを有している。パッド部は、電極膜９３のうち、ＭＯＳＦＥＴ１０１の外部との電気的接続のための部分である。本実施の形態においては、温度センサ素子６０は配線部に接続されている。配線部は、パッド部から離れて配置された温度センサ素子６０をパッド部と電気的に接続するために設けられている。
【００３０】
図１および図２を参照して、ポリイミド膜２０は、ソース電極パッド９１、ゲート電極パッド９２および電極膜９３が設けられたＳｉＣ基板５０の上面Ｓ２上に設けられている。ポリイミド膜２０は、ＭＯＳＦＥＴ１０１の保護絶縁膜として設けられている。ポリイミド膜２０は、大電流を扱う半導体装置、すなわち電力用半導体装置、において、特に必要とされる。
【００３１】
ポリイミド膜２０は、ソース電極パッド９１およびゲート電極パッド９２の各々が少なくとも部分的に露出されるように配置されている。言い換えれば、ポリイミド膜２０は、ソース電極パッド９１およびゲート電極パッド９２の各々の一部のみが覆われるように配置されている。
【００３２】
またポリイミド膜２０は、電極膜９３の少なくとも一部が覆われるように配置されている。本実施の形態においては、ポリイミド膜２０は、アノード電極膜９３ａおよびカソード電極膜９３ｃの各々のパッド部が少なくとも部分的に露出されるように配置されている。言い換えれば、ポリイミド膜２０は、アノード電極膜９３ａおよびカソード電極膜９３ｃの各々の一部のみが覆われるように配置されている。また本実施の形態においては、ポリイミド膜２０は、アノード電極膜９３ａおよびカソード電極膜９３ｃの各々の配線部が覆われるように配置されている。
【００３３】
上記のような配置が得られるように、ポリイミド膜２０は開口部ＯＰ（図３）を有している。開口部ＯＰは、平面視において、ＳｉＣ基板５０の上面Ｓ２の半分以上を露出していることが好ましい。言い換えれば、開口部ＯＰは、平面視において、ＳｉＣ基板５０の上面Ｓ２の半分未満のみを覆っていることが好ましい。言い換えれば、開口部ＯＰは、ＳｉＣ基板５０の上面Ｓ２の一部を直接的または間接的に覆っているものの、上面Ｓ２の半分以上を直接的にも間接的にも覆っていないことが好ましい。
【００３４】
なお本明細書において、ポリイミド膜２０に関連しての「露出され」および「露出し」の文言は、ある領域がポリイミド膜２０との関係性において露出されていることを記述するものである。言い換えれば、これら文言は、当該領域がポリイミド膜２０に覆われていないことを記述するものである。よってこれら文言は、当該領域がポリイミド膜２０以外の他の部材によって覆われることを除外する含意を有するものではない。
【００３５】
ポリイミド膜２０は、ソース電極パッド９１、ゲート電極パッド９２および電極膜９３を覆う部分と、他の部分とを有している。当該他の部分は、バリア膜８１（図４）を覆う部分、バリア膜８２を覆う部分（図５）、バリア膜８１とバリア膜８２との間で層間絶縁膜７を直接覆う部分（図示せず）、ＳｉＣ基板５０の上面Ｓ２を直接覆う部分などを含んでよい。
【００３６】
ポリイミド膜２０は熱硬化性樹脂からなる。すなわち本実施の形態においては、保護絶縁膜がポリイミド樹脂からなる。ポリイミド膜２０の厚みは、それが覆う部分を保護する機能の観点では大きいことが好ましい。一方で、厚みが大き過ぎると、ポリイミド膜２０のパターニングが難しくなる。このためポリイミド膜２０の厚みは、１μｍ程度以上２０μｍ程度以下が好ましく、５μｍ程度以上２０μｍ程度以下がより好ましく、１０μｍ程度以上２０μｍ程度以下がより好ましい。ポリイミド膜２０は、液状材料の塗布と、ベーキングと、パターニングとによって形成することができる。パターニングは写真製版法を用いて行い得る。なお、ポリイミド樹脂とは異なる熱硬化性樹脂からなる保護絶縁膜が用いられてもよい。具体的には、保護絶縁膜として、ポリイミド樹脂、シリコーン(silicone)樹脂、エポキシ樹脂およびポリウレタン樹脂の少なくともいずれかからなる熱硬化性樹脂膜を用いることができる。
【００３７】
図３を参照して、ＳｉＣ基板５０の上面Ｓ２は、外周領域ＲＡと、外周領域ＲＡに囲まれた内側領域ＲＢとを有している。ポリイミド膜２０は、外周領域ＲＡを覆う外周部分２９と、電極膜９３の少なくとも一部を覆う第１内側部分２１とを有している。第１内側部分２１は内側領域ＲＢを横断している。言い換えれば、第１内側部分２１は、外周部分２９の開口部を横断している。この構成により、ポリイミド膜２０の開口部ＯＰは第１開口部ＯＰ１および第２開口部ＯＰ２を有し、これらは第１内側部分２１によって互いに隔てられている。好ましくは、温度センサ素子６０（図６および図７）をポリイミド膜２０が覆っている。より好ましくは温度センサ素子６０をポリイミド膜２０の第１内側部分２１が覆っており、この場合、温度センサ素子６０はＳｉＣ基板５０の内側領域ＲＢに配置されている。
【００３８】
なお、ソース電極パッド９１、ゲート電極パッド９２、および電極膜９３（図２）に加えて、図８に示すように、電極膜９４（図２において図示せず）が設けられていてよい。電極膜９４は、例えば、ゲート電極６とゲート電極パッド９２との間をつなぐゲート配線として用いられ得る。
【００３９】
なお、本実施の形態においては、ポリイミド膜２０の第１内側部分２１に覆われた少なくとも１つの電気的素子として、１つの温度センサ素子が設けられている。しかしながら、１つの温度センサ素子の代わりに、ダイオード素子、バイポーラトランジスタ素子、抵抗素子および容量素子の少なくともいずれかの素子を含む少なくとも１つの電気的素子が設けられてもよい。これによりポリイミド膜２０に覆われた、ユニポーラトランジスタでない電気的素子を、ＳｉＣ基板５０の内側領域ＲＢに配置することができる。１つではなく複数の電気的素子が設けられる場合、複雑な機能を半導体装置に追加することができる。特に、複数の電気的素子として複数の半導体素子が設けられる場合、より複雑な機能、例えば信号処理機能、を半導体装置に追加することができる。保護絶縁膜がポリイミド膜２０のような形状を有する必要があるのは、上述した少なくとも１つの電気的素子の配置の関係上、保護絶縁膜の開口部の形状を、単純な１つの四角形、円または楕円等によって構成することが好ましくない場合である。
【００４０】
（比較例）
図９は、比較例のＭＯＳＦＥＴ１００の構成を示す平面図である。図１０は、ＭＯＳＦＥＴ１００（図９）が有するポリイミド膜２０の構成を説明する平面図である。
【００４１】
比較例のＭＯＳＦＥＴ１００と、本実施の形態のＭＯＳＦＥＴ１０１との相違は、ポリイミド膜２０の開口部の形状のみである。具体的には、ＭＯＳＦＥＴ１００は、ＭＯＳＦＥＴ１０１の第１内側部分２１（図３）に代わって、内側部分２１Ｃ（図１０）を有している。内側部分２１Ｃは、ＳｉＣ基板５０の内側領域ＲＢを横断していない。ソース電極パッド９１（図２）と外部との電気的接続箇所をより広く確保するという観点のみでポリイミド膜２０の形状が設計されるとすると、第１内側部分２１ではなく内側部分２１Ｃが採用されることになる。
【００４２】
上記構成により、内側部分２１Ｃの一方端（図１０における上端）と、外周部分２９との間は、矢印ＤＦに示すように離れている。この端には熱サイクル下で、クラック等の原因となるストレスが集中しやすい。その結果、内側部分２１Ｃの端においてポリイミド膜２０の劣化が局所的に進行しやすい。よって、ポリイミド膜２０の劣化が発生しやすい。
【００４３】
（効果）
本実施の形態のＭＯＳＦＥＴ１０１によれば、上記比較例と異なり、ポリイミド膜２０は第１内側部分２１（図３）を有している。第１内側部分２１は、ポリイミド膜２０の外周部分２９に囲まれた内側領域ＲＢを横断しているので、第１内側部分２１の一方端および他方端の各々はポリイミド膜２０の外周部分２９につながれている。これにより、第１内側部分２１の一方端および他方端においてポリイミド膜２０の劣化が局所的に進行することが抑制される。よって、ポリイミド膜２０の劣化を抑制することができる。
【００４４】
好ましくは、ポリイミド膜２０は、ＳｉＣ基板５０の上面Ｓ２の半分以上を露出する開口部ＯＰ（図３）を有している。言い換えれば、開口部ＯＰは、平面視において、ＳｉＣ基板５０の上面Ｓ２の半分未満のみを覆っている。これにより、ポリイミド膜２０の開口部ＯＰにおいて、ＭＯＳＦＥＴ１０１と外部との間の電気的接続箇所を、大電流を扱うのに十分な程度に確保することができる。
【００４５】
電極膜９３はゲート電極パッド９２から離れていてよい。これにより、ゲート電極パッド９２と電気的に短絡されていない電極膜９３を有する構成が得られる。
【００４６】
温度センサ素子６０（図６および図７）は、ポリイミド膜２０の第１内側部分２１に覆われていることが好ましい。これにより温度センサ素子６０を、ＳｉＣ基板５０（図３）の外周領域ＲＡではなく内側領域ＲＢに配置することができる。これにより、温度センサ素子６０がＳｉＣ基板５０の中央近くに配置される。よって温度センサ素子６０がＳｉＣ基板５０の温度の代表的な位置に配置される。よって温度の検出精度を高めることができる。
【００４７】
＜実施の形態２＞
図１１は、本実施の形態２におけるＭＯＳＦＥＴ１０２（半導体装置）の構成を概略的に示す平面図である。図１２は、ポリイミド膜２０（図１１）の構成を説明する平面図である。ＭＯＳＦＥＴ１０２においては、ポリイミド膜２０は、外周部分２９および第１内側部分２１に加えて、少なくとも１つの第２内側部分２２を有している。第２内側部分２２の各々は、外周部分２９と第１内側部分２１との間を横断している。以下、より具体的に説明する。
【００４８】
ＳｉＣ基板５０の内側領域ＲＢ（図３）は、第１内側部分２１によって互いに隔てられた第１領域ＲＢａおよび第２領域ＲＢｂを有している。本実施の形態においては、ＳｉＣ基板５０の第１領域ＲＢａおよび第２領域ＲＢｂのそれぞれに、ポリイミド膜２０の第２内側部分２２ａおよび第２内側部分２２ｂが設けられている。なお第２内側部分２２の数は、本実施の形態においては２つであるが、任意の数であってよい。
【００４９】
なお、上記以外の構成については、上述した実施の形態１の構成とほぼ同じであるため、同一または対応する要素について同一の符号を付し、その説明を繰り返さない。
【００５０】
本実施の形態によれば、ポリイミド膜２０は、外周部分２９と第１内側部分２１との間を横断する第２内側部分２２（図１２）を有している。これにより、第１内側部分２１の一方端と他方端との間において、第１内側部分２１が、ポリイミド膜２０の他の部分（すなわち第２内側部分２２）につながれている。これにより、大きな長さに渡って延びる第１内側部分２１がその一方端と他方端との間において局所的にストレスを受けて劣化することが抑制される。
【００５１】
ここで、第２内側部分２２は、外周部分２９と第１内側部分２１との間を横断している。これにより、第２内側部分２２の一方端および他方端の各々は、ポリイミド膜２０の他の部分につながれている。よって、第２内側部分２２の一方端および他方端においてポリイミド膜２０の劣化が局所的に進行することが抑制される。
【００５２】
以上のように、第２内側部分２２が設けられることによって第１内側部分２１の劣化がより抑制され、かつ、第２内側部分２２自体も劣化しにくい。よって、ポリイミド膜２０の劣化をさらに抑制することができる。
【００５３】
＜実施の形態３＞
図１３は、本実施の形態３におけるＭＯＳＦＥＴ１０３（半導体装置）の構成を概略的に示す平面図である。図１４は、図１３の線ＸＩＶ−ＸＩＶに沿う概略的な部分断面図である。
【００５４】
本実施の形態においては、ポリイミド膜２０の開口部ＯＰの縁は、チップ角側ＯＰｃ（図１３）において、直角形状ではなく、緩やかな曲線形状を有している。これにより、チップ角側ＯＰｃにおけるポリイミド膜２０の割れを防ぐことができる。この理由について、以下に説明する。
【００５５】
ＳｉＣ基板５０と、その上に設けられた絶縁部材または金属部材との間での熱膨張係数の相違に起因した応力は、平面方向におけるチップの伸縮につながる。この伸縮は、チップの角部において特に大きくなりやすい。この影響により、一般には、チップ角側ＯＰｃにおいてポリイミド膜２０が割れやすい傾向がある。上記構成によれば、この伸縮が小さくなり、よってチップ角側ＯＰｃにおけるポリイミド膜２０の割れを防ぐことができる。
【００５６】
ポリイミド膜２０は、図１３に示されているように、ソース電極パッド９１、ゲート電極パッド９２および電極膜９３の各々の縁（図１３における破線を参照）のすべてを覆っていることが好ましい。これにより平面視において、ソース電極パッド９１、ゲート電極パッド９２および電極膜９３以外の領域の全体をポリイミド膜２０で保護することができる。
【００５７】
図１５〜図１７のそれぞれは、図１４の一部拡大図であり、ポリイミド膜２０の断面形状の第１〜第３の例を示す部分断面図である。図１５および図１６のそれぞれにおいては、ポリイミド膜２０の断面形状はテーパ形状および逆テーパ形状を有している。これらのような断面形状は、ポリイミド膜２０をウェットエッチ法によってパターニングすることによって得ることができる。ウェットエッチ法を用いることによって、ドライエッチ法に比して、エッチング速度を高くすることができ、またプロセスコストを低くすることができる。一方、図１７においては、ポリイミド膜２０の断面形状は、厚み方向にほぼ沿った側壁を有している。このような断面形状は、ポリイミド膜２０がドライエッチ法によってパターニングされる場合に得られやすい。この場合は、図１５の場合に比して、側壁が急峻であり、おおよそ９０°の角部（図１７における左上部）が形成される。このような角部には、熱収縮に起因した膜応力が集中しやすく、よって，膜応力に起因してポリイミド膜２０が割れやすい。これに対して、図１５のようなテーパ形状が用いられる場合は、角部の角度が９０°よりも大きいので、膜応力が緩和されやすく、よって、膜応力に起因したポリイミド膜２０の割れを防ぐことができる。
【００５８】
図１５のような断面形状を有するポリイミド膜２０が用いられる場合、保護絶縁膜２０の第１内側部分２１（図３参照）の断面形状も、図１８に示されるように、テーパ形状を有する。また、この断面形状の縁は、図１８に示されているように、全体的に曲線状とすることができ、これにより膜応力の集中を、より緩和することができる。
【００５９】
なお、図１４に示されるように、ＳｉＣ基板５０の主面（図中、上面）の端部には、ポリイミド膜２０の下方に配置された終端構造３０が設けられることが好ましい。終端構造３０は、耐電圧を確保する目的で設けられるものである。終端構造３０の具体的な構成は特に限定されないが、図１４に示された例においては、ｐ型ウェル領域３１と、その上に形成されたｎ型領域３２と、ｐ型ガードリング領域３３とが形成されている。
【００６０】
上記以外の構成については、前述した実施の形態１の構成とほぼ同様であるため、同一または対応する要素について同一の符号を付し、その説明を繰り返さない。また、本実施の形態において説明された、ポリイミド膜２０の特徴は、実施の形態１および２のいずれにも適用され得る。
【００６１】
（変形例）
図１９は、ＭＯＳＦＥＴ１０３（図１４）の変形例のＭＯＳＦＥＴ１０３Ｖ（半導体装置）の構成を概略的に示す部分断面図である。ＭＯＳＦＥＴ１０３Ｖは、ソース電極パッド９１およびゲート電極パッド９２上に、めっき層９６（金属層）を有している。めっき層９６は、特に、ソース電極パッド９１およびゲート電極パッド９２がＡｌまたはＡｌ合金から形成されている場合に望ましい。また電極膜９３上にも同様のめっき層が設けられてよい。めっき層９６は、ポリイミド膜２０の内縁に接している。めっき層９６は、無電解めっき層であることが好ましく、例えば無電解ニッケルリンめっき層である。無電解めっき法が用いられる場合、開口部ＯＰを有するポリイミド膜２０の形成後に、ポリイミド膜２０の開口部ＯＰの内側にのみめっき層９６を形成することが容易に可能である。めっき層９６は平面視において、開口部ＯＰの全体に配置されてよい。また、めっき層９６は厚み方向において、ポリイミド膜２０の開口部ＯＰによって構成された空間を部分的にのみ埋めていることが好ましい。
【００６２】
なお、同様のめっき層（金属層）が裏面電極１０上にも設けられてよい。このようなめっき層は、裏面電極１０がＡｌまたはＡｌ合金から形成されている場合に望ましい。
【００６３】
＜実施の形態４＞
図２０は、本実施の形態４におけるＭＯＳＦＥＴ１０４の構成を概略的に示す部分断面図である。ＭＯＦＥＴ１０１（図４：実施の形態１）においてはゲート電極６がプレーナ構造を有しているが、本実施の形態においては、ゲート電極６はトレンチ構造を有している。以下、より具体的に説明する。
【００６４】
ＭＯＳＦＥＴ１０４においては、ＳｉＣ基板５０の上面Ｓ２にトレンチＴＲが設けられている。トレンチＴＲは、ソース領域４およびベース領域２を貫通してドリフト層１に達している。ゲート電極６は、ゲート絶縁膜５を介してトレンチＴＲ内に配置されている。これによりトレンチ構造が得られる。トレンチ構造は、前述したプレーナ構造と同様、大電流を扱う半導体装置である電力用半導体装置に適した構造である。このように大電流が扱われる場合、ポリイミド膜２０のような保護絶縁膜を設けることが特に求められる。
【００６５】
なお、上記以外の構成については、上述した実施の形態１〜３のいずれかの構成とほぼ同じであるため、同一または対応する要素について同一の符号を付し、その説明を繰り返さない。本実施の形態によっても、上述した実施の形態１〜３と同様の効果が得られる。
【００６６】
＜実施の形態５＞
図２１は、本実施の形態５による電力変換装置７００が適用された電力変換システムの構成を概略的に示すブロック図である。
【００６７】
本実施の形態５は、上述した実施の形態１〜４またはその変形例の半導体装置が電力変換装置に適用されたものである。本発明は特定の電力変換装置に限定されるものではないが、本実施の形態５として、三相のインバータに本発明を適用した場合について、以下に説明する。
【００６８】
図２１は、本発明の実施の形態５による電力変換装置７００が適用された電力変換システムの構成を概略的に示すブロック図である。
【００６９】
電力変換装置７００は、電源６００と負荷８００との間に接続された三相のインバータであり、電源６００から供給された直流電力を交流電力に変換し、負荷８００に交流電力を供給する。電力変換装置７００は、主変換回路７０１と、駆動回路７０２と、制御回路７０３とを有している。主変換回路７０１は、スイッチング素子として、実施の形態１〜４またはその変形例の半導体装置（例えば、ＭＯＳＦＥＴ１０１〜１０４）の少なくともいずれかを有しており、入力される直流電力を交流電力に変換してそれを出力する。駆動回路７０２は、スイッチング素子としての半導体装置の各々を駆動する駆動信号を半導体装置に出力する。制御回路７０３は、駆動回路７０２を制御する制御信号を駆動回路７０２に出力する。
【００７０】
電源６００は、直流電源であり、電力変換装置７００に直流電力を供給する。電源６００は種々のもので構成することが可能であり、例えば、直流系統、太陽電池、蓄電池で構成することができるし、交流系統に接続された整流回路またはＡＣ／ＤＣコンバータで構成することとしてもよい。また、電源６００を、直流系統から出力される直流電力を所定の電力に変換するＤＣ／ＤＣコンバータによって構成することとしてもよい。
【００７１】
負荷８００は、電力変換装置７００から供給された交流電力によって駆動される三相の電動機である。なお、負荷８００は特定の用途に限られるものではなく、各種電気機器に搭載された電動機であり、例えば、ハイブリッド自動車、電気自動車、鉄道車両、エレベーター、または、空調機器向けの電動機として用いられる。
【００７２】
以下、電力変換装置７００の詳細を説明する。主変換回路７０１は、スイッチング素子および還流ダイオードを備えている（図示せず）。スイッチング素子がスイッチングすることによって、主変換回路７０１は、電源６００から供給される直流電力を交流電力に変換し、それを負荷８００に供給する。主変換回路７０１の具体的な回路構成は種々のものがあるが、本実施の形態にかかる主変換回路７０１は２レベルの三相フルブリッジ回路であり、６つのスイッチング素子と、それぞれのスイッチング素子に逆並列された６つの還流ダイオードとから構成することができる。６つのスイッチング素子は２つのスイッチング素子ごとに直列接続され上下アームを構成し、各上下アームはフルブリッジ回路の各相（Ｕ相、Ｖ相、Ｗ相）を構成する。そして、各上下アームの出力端子、すなわち主変換回路７０１の３つの出力端子は、負荷８００に接続される。
【００７３】
駆動回路７０２は、主変換回路７０１のスイッチング素子を駆動する駆動信号を生成し、主変換回路７０１のスイッチング素子の制御電極に供給する。具体的には、駆動回路７０２は、後述する制御回路７０３からの制御信号に従い、スイッチング素子をオン状態にする駆動信号と、スイッチング素子をオフ状態にする駆動信号とを各スイッチング素子の制御電極に出力する。スイッチング素子をオン状態に維持する場合、駆動信号はスイッチング素子のしきい値電圧以上の電圧信号（オン信号）であり、スイッチング素子をオフ状態に維持する場合、駆動信号はスイッチング素子のしきい値電圧以下の電圧信号（オフ信号）となる。
【００７４】
制御回路７０３は、負荷８００に所望の電力が供給されるよう主変換回路７０１のスイッチング素子を制御する。具体的には、制御回路７０３は、負荷８００に供給すべき電力に基づいて、主変換回路７０１の各スイッチング素子がオン状態となるべき時間（オン時間）を算出する。例えば、出力すべき電圧に応じてスイッチング素子のオン時間を変調するＰＷＭ（パルス幅変調：Ｐｕｌｓｅ  Ｗｉｄｔｈ  Ｍｏｄｕｌａｔｉｏｎ）制御によって主変換回路７０１を制御することができる。そして、各時点において、オン状態となるべきスイッチング素子にはオン信号が出力され、オフ状態となるべきスイッチング素子にはオフ信号が出力されるよう、制御回路７０３は駆動回路７０２に制御指令（制御信号）を出力する。駆動回路７０２は、この制御信号に従い、各スイッチング素子の制御電極にオン信号またはオフ信号を駆動信号として出力する。
【００７５】
本実施の形態５によれば、主変換回路７０１は、スイッチング素子として、実施の形態１〜４またはその変形例の半導体装置（例えば、ＭＯＳＦＥＴ１０１〜１０４）の少なくともいずれかを有している。これらの半導体装置においては、前述したように、ポリイミド膜２０の劣化が局所的に進行することが抑制される。よって、電力変換装置７００の動作によって引き起こされる熱サイクルに起因してのポリイミド膜２０の劣化を抑制することができる。よって、熱サイクルをともなう動作を行なう電力変換装置７００の信頼性を高めることができる。
【００７６】
なお本実施の形態５では、２レベルの三相インバータに本発明を適用する例を説明したが、本発明は、これに限られるものではなく、種々の電力変換装置に適用することができる。本実施の形態５では、電力変換装置が２レベルの電力変換装置であるが、３レベルなどのマルチレベルの電力変換装置であっても構わない。また単相負荷に電力を供給する場合には、単相のインバータに本発明を適用しても構わない。また、直流負荷等に電力を供給する場合には、ＤＣ／ＤＣコンバータまたはＡＣ／ＤＣコンバータに本発明を適用することも可能である。
【００７７】
また、本発明が適用された電力変換装置は、上述した負荷が電動機の場合に限定されるものではなく、例えば、放電加工機、レーザー加工機、誘導加熱調理器および非接触器給電システムのいずれかの電源装置として用いることもでき、さらには太陽光発電システムまたは蓄電システム等のパワーコンディショナーとして用いることも可能である。
【００７８】
上記各実施の形態においては半導体装置がＭＯＳＦＥＴである場合について詳述したが、半導体装置はＭＯＳＦＥＴ以外のＭＩＳＦＥＴ（Ｍｅｔａｌ  Ｉｎｓｕｌａｔｏｒ  Ｓｅｍｉｃｏｎｄｕｃｔｏｒ  Ｆｉｅｌｄ  Ｅｆｆｅｃｔ  Ｔｒａｎｓｉｓｔｏｒ）であってよい。また半導体装置はＭＩＳＦＥＴ以外のトランジスタであってよく、例えばＩＧＢＴ（Ｉｎｓｕｌａｔｅｄ  Ｇａｔｅ  Ｂｉｐｏｌａｒ  Ｔｒａｎｓｉｓｔｏｒ）であってよい。ＩＧＢＴを得るためには、上述した裏面電極１０と第１導電型のドリフト層１との間に第２導電型のコレクタ領域が付加されればよい。この場合、上述したソースはＩＧＢＴのエミッタとして機能し、裏面電極１０はコレクタ電極として機能する。
【００７９】
また上記各実施の形態においては半導体基板がＳｉＣからなる場合について詳述したが、半導体基板は、ＳｉＣ以外の、Ｓｉの線膨張率よりも高い線膨張率を有する半導体からなるものであってよい。例えば、ガリウムヒ素（ＧａＡｓ）または窒化ガリウム（ＧａＮ）からなる半導体基板が用いられてよい。
【００８０】
また上記各実施の形態においては、第１導電型がｎ型でありかつ第２導電型がｐ型である場合について詳述したが、第１導電型がｐ型でありかつ第２導電型がｎ型であってよい。
【００８１】
なお、本発明は、その発明の範囲内において、各実施の形態を自由に組み合わせたり、各実施の形態を適宜、変形、省略したりすることが可能である。この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８２】
Ｓ１  下面、Ｓ２  上面（主面）、ＲＡ  外周領域、ＲＢ  内側領域、ＯＰ  開口部、ＯＰ１  第１開口部、ＯＰ２  第２開口部、ＴＲ  トレンチ、ＲＢａ  第１領域、ＲＢｂ  第２領域、１  ドリフト層、２  ベース領域、３  コンタクト領域、４  ソース領域、５  ゲート絶縁膜、６  ゲート電極、７，４２  層間絶縁膜、８  ソースコンタクト電極、１０  裏面電極、１１  酸化珪素膜、２０  ポリイミド膜（保護絶縁膜）、２１  第１内側部分、２２，２２ａ，２２ｂ  第２内側部分、２９  外周部分、４１  酸化膜、５０  ＳｉＣ基板（半導体基板）、６０  温度センサ素子（電気的素子）、６１  アノード領域、６２  カソード領域、８１，８２  バリア膜、９１  ソース電極パッド（第１電極膜）、９２  ゲート電極パッド（第２電極膜）、９３  電極膜（第３電極膜）、９３ａ  アノード電極膜、９３ｃ  カソード電極膜、９４  電極膜、１０１〜１０４  ＭＯＳＦＥＴ（半導体装置）、６００  電源、７００  電力変換装置、７０１  主変換回路、７０２  駆動回路、７０３  制御回路、８００  負荷。
【図１】
2019208755.tif 000003
【図２】
2019208755.tif 000004
【図３】
2019208755.tif 000005
【図４】
2019208755.tif 000006
【図５】
2019208755.tif 000007
【図６】
2019208755.tif 000008
【図７】
2019208755.tif 000009
【図８】
2019208755.tif 000010
【図９】
2019208755.tif 000011
【図１０】
2019208755.tif 000012
【図１１】
2019208755.tif 000013
【図１２】
2019208755.tif 000014
【図１３】
2019208755.tif 000015
【図１４】
2019208755.tif 000016
【図１５】
2019208755.tif 000017
【図１６】
2019208755.tif 000018
【図１７】
2019208755.tif 000019
【図１８】
2019208755.tif 000020
【図１９】
2019208755.tif 000021
【図２０】
2019208755.tif 000022
【図２１】
2019208755.tif 000023
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
シリコンの線膨張率よりも高い線膨張率を有する半導体からなり、第１導電型を有するソース領域と、前記第１導電型と異なる第２導電型を有するベース領域と、前記ベース領域によって前記ソース領域から隔てられ前記第１導電型を有するドリフト層とを含み、前記ソース領域からなる部分を含む主面を有する半導体基板と、
前記半導体基板の前記ベース領域を覆うゲート絶縁膜と、
前記ゲート絶縁膜を介して前記半導体基板の前記ベース領域に面するゲート電極と、
前記半導体基板の前記ソース領域に電気的に接続され、前記半導体基板の前記主面上に設けられた第１電極膜と、
前記ゲート電極に電気的に接続され、前記第１電極膜から離れて前記半導体基板の前記主面上に設けられた第２電極膜と、
前記第１電極膜から離れて前記半導体基板の前記主面上に設けられた第３電極膜と、
前記第１電極膜、前記第２電極膜および前記第３電極膜が設けられた前記半導体基板の前記主面上に、前記第１電極膜および前記第２電極膜の各々の一部のみが覆われるようにかつ前記第３電極膜の少なくとも一部が覆われるように設けられ、熱硬化性樹脂からなる保護絶縁膜と、
を備え、
前記半導体基板の前記主面は、外周領域と、前記外周領域に囲まれた内側領域とを有し、前記保護絶縁膜は、前記外周領域を覆う外周部分と、前記第３電極膜の少なくとも一部を覆い前記内側領域を横断する第１内側部分とを有し、
前記第３電極膜に接続され、前記保護絶縁膜の前記第１内側部分に覆われた、少なくとも１つの電気的素子をさらに備える、半導体装置。
【請求項２】
前記少なくとも１つの電気的素子は前記保護絶縁膜の前記第１内側部分に、面内方向において全体的に、覆われている、請求項１に記載の半導体装置。
【請求項３】
前記保護絶縁膜の、前記少なくとも１つの電気的素子を覆う部分は、１μｍ以上２０μｍ以下の厚みを有している、請求項１または２に記載の半導体装置。
【請求項４】
前記第３電極膜は、前記半導体装置の外部との電気的接続するためのパッド部と、前記パッド部に接続された第１端部と前記少なくとも１つの電気的素子に接続された第２端部とを有する配線部と、を含む、請求項１から３のいずれか１項に記載の半導体装置。
【請求項５】
前記配線部の前記第２端部は、前記第３電極膜の端部をなしており、かつ、前記主面の前記外周領域から離れている、請求項４に記載の半導体装置。
【請求項６】
前記第３電極膜は前記主面の前記内側領域を横断していない、請求項４または５に記載の半導体装置。
【請求項７】
前記パッド部は少なくとも部分的に前記主面の前記外周領域に含まれている、請求項４から６のいずれか１項に記載の半導体装置。
【請求項８】
前記少なくとも１つの電気的素子は温度センサ素子を含む、請求項４から７のいずれか１項に記載の半導体装置。
【請求項９】
前記少なくとも１つの電気的素子は、前記主面の前記中央に配置された電気的素子を含む、請求項１から８のいずれか１項に記載の半導体装置。
【請求項１０】
前記保護絶縁膜は、前記外周部分と前記第１内側部分との間を横断する第２内側部分を有する、請求項１から９のいずれか１項に記載の半導体装置。
【請求項１１】
前記保護絶縁膜は、前記半導体基板の前記主面の半分未満のみを覆う開口部を有する、請求項１から１０のいずれか１項に記載の半導体装置。
【請求項１２】
前記開口部は、前記主面の角側に第１角部を有する縁を有しており、前記第１角部は曲線形状を有している、請求項１１に記載の半導体装置。
【請求項１３】
前記開口部の前記縁は第２角部を有しており、前記第１角部は前記第２角部よりも緩やかな曲線形状を有している、請求項１２に記載の半導体装置。
【請求項１４】
前記第３電極膜は前記第２電極膜から離れている、請求項１から１３のいずれか１項に記載の半導体装置。
【請求項１５】
前記少なくとも１つの電気的素子は、ダイオード素子、バイポーラトランジスタ素子、抵抗素子および容量素子の少なくともいずれかの素子を含む、請求項１から１４のいずれか１項に記載の半導体装置。
【請求項１６】
前記ゲート電極は、プレーナ構造およびトレンチ構造のいずれかの構造を有する、請求項１から１５のいずれか１項に記載の半導体装置。
【請求項１７】
前記保護絶縁膜の前記第１内側部分の断面形状はテーパ形状を有している、請求項１から１６のいずれか１項に記載の半導体装置。
【請求項１８】
前記保護絶縁膜は、ポリイミド樹脂、シリコーン樹脂、エポキシ樹脂およびポリウレタン樹脂の少なくともいずれかからなる、請求項１から１７のいずれか１項に記載の半導体装置。
【請求項１９】
請求項１から１８のいずれか１項に記載の半導体装置を有し、入力される電力を変換して出力する主変換回路と、
前記半導体装置を駆動する駆動信号を前記半導体装置に出力する駆動回路と、
前記駆動回路を制御する制御信号を前記駆動回路に出力する制御回路と、
を備える、電力変換装置。
【手続補正２】
【補正対象書類名】明細書
【補正対象項目名】００１０
【補正方法】変更
【補正の内容】
【００１０】
本発明の半導体装置は、半導体基板と、ゲート絶縁膜と、ゲート電極と、第１電極膜と、第２電極膜と、第３電極膜と、保護絶縁膜と、少なくとも１つの電気的素子とを有する。半導体基板は、Ｓｉの線膨張率よりも高い線膨張率を有する半導体からなり、第１導電型を有するソース領域と、第１導電型と異なる第２導電型を有するベース領域と、ベース領域によってソース領域から隔てられ第１導電型を有するドリフト層とを含み、ソース領域からなる部分を含む主面を有する。ゲート絶縁膜は半導体基板のベース領域を覆っている。ゲート電極はゲート絶縁膜を介して半導体基板のベース領域に面している。第１電極膜は、半導体基板のソース領域に電気的に接続されており、半導体基板の主面上に設けられている。第２電極膜は、ゲート電極に電気的に接続されており、第１電極膜から離れて半導体基板の主面上に設けられている。第３電極膜は、第１電極膜から離れて半導体基板の主面上に設けられている。保護絶縁膜は、第１電極膜、第２電極膜および第３電極膜が設けられた半導体基板の主面上に、第１電極膜および第２電極膜の各々の一部のみが覆われるようにかつ第３電極膜の少なくとも一部が覆われるように設けられており、熱硬化性樹脂からなる。半導体基板の主面は、外周領域と、外周領域に囲まれた内側領域とを有する。保護絶縁膜は、外周領域を覆う外周部分と、第３電極膜の少なくとも一部を覆い内側領域を横断する第１内側部分とを有する。少なくとも１つの電気的素子は、第３電極膜に接続されており、保護絶縁膜の第１内側部分に覆われている。
【国際調査報告】
2019208755.tif 000024
2019208755.tif 000025
2019208755.tif 000026
2019208755.tif 000027